(57)【要約】【課題】  構造簡単で、大電力用の大型機器に適用して誤動作のない電源切替開閉装置を提供する。【解決手段】  接触子３７がＢ電源を負荷３８に接続するとき、軸１９は、傾斜通路１８ｂの上端、ポイント板２３は一方の揺動端にあり、翼部２３ｂが通路１８ｂに突出する。Ａ電源投入スイッチＳａがＯＮすると、ソレノイド１３でレバー１０が回転し、軸１９が通路１８ｂを下降し中立位置に至る。ばね１６でレバー１０が瞬時に戻り、軸１９が押し上げられる。軸１９は開いている通路１８ａを上昇する。接触子３７が、Ｂ電源を遮断、接触子３６がＡ電源を負荷３８に接続する。軸１９が上昇途上で、カム板２４を押して回転させる。ローラ２５ａが頂部２４ｆを過ぎると、カム板２４を反対方向へ回転付勢する。カム板２４は、ピン２３ｄを押し上げ、ポイント板２３を回転させ、翼部２３ｂを通路１８ａへ突出させる。Ｂ電源への切り替え動作は、これと反対に進行する。【選択図】  図１
2006040763.tif 000002
【特許請求の範囲】
【請求項１】
中立位置と投入位置との間を回動自在の操作レバーと、
この操作レバーを投入位置から中立位置へ移動させるための制御回路と、
前記操作レバーを中立位置から投入位置へ復帰させるためのばねと、
前記操作レバーの回動に従ってほぼＶ字状のガイド溝の２つの傾斜通路の何れかに沿って上下動自在で、前記操作レバーが中立位置にある時に前記ガイド溝の中央に配置され、投入位置にあるときにガイド溝のいずれかの傾斜通路の上端に配置される制御軸と、
この制御軸が前記ガイド溝の傾斜通路の上端位置にあるときに、それぞれ第１または第２の電源につながる固定接触子と負荷につながる固定接触子とを閉成し、前記ガイド溝の中央位置にあるときに中立位置に配置されるように、それぞれ前記制御軸に連結された少なくとも一対の可動接触子と、
前記ガイド溝の内側に配置される先端を持ち、正逆揺動自在で、一方の揺動終端にある第１の位置において前記制御軸が上昇するためのガイド溝の一方の傾斜通路を閉鎖し、他方の揺動終端にある第２の位置において前記制御軸が上昇するためのガイド溝の他方の傾斜通路を閉鎖するポイント板と、
２つの押圧面と１つのカム面を有し、前記ガイド溝の一方の傾斜通路を上昇する前記制御軸により一方の押圧面が押し上げられて一方向へ所定角度回動することで、前記ポイント板を前記第１の位置に配置し、他方の前記傾斜通路を上昇する前記制御軸により他方の押圧面が押し上げられて反対方向へ所定角度回動することで、前記ポイント板を前記第２の位置に配置させるように前記ポイント板に接続されたカム板と、
一端側の摺動部が前記カム板のカム面に常時接触するようにばねにより付勢され、カム板の回動途上において前記摺動部がカム面の頂部を越え、この頂部を境に前記摺動部がカムを反対回転方向へ押圧することにより、前記ポイント板を前記第１または第２の位置に保持する切替レバーとを具備することを特徴とする電源切替開閉装置。
【請求項２】
前記ポイント板は前記カム板に係合する連結ピンを有し、前記カム板は前記ポイント板の連結ピンを内周の対向部間で遊動できるように受け入れる開口を有し、この開口の内周の一方の対向部で前記連結ピンを一方向へ押圧して前記ポイント板を前記第１の位置に保持し、内周の他方の対向部で前記連結ピンを反対方向へ押圧して前記ポイント板を前記第２の位置に保持することを特徴とする請求項１に記載の電源切替開閉装置。
【請求項３】
前記ポイント板と前記カム板が、共通の軸上に相対回動自在に支持されることを特徴とする請求項１または２に記載の電源切替開閉装置。
【請求項４】
前記可動接触子は、それぞれ第１または第２の電源側固定接触子と負荷側固定接触子とを電気的に接続、分離するように少なくとも一対設けられ、かつそれぞれ各伝動手段に連結され、これらの伝動手段は、前記制御軸がいずれの前記ガイド溝の傾斜通路を上昇するかによって、択一的に前記制御軸に連動するように制御軸に連結されることを特徴とする請求項１に記載の電源切替開閉装置。
【請求項５】
前記伝動手段は、制御軸が何れの前記ガイド溝の傾斜通路を上昇するかによって、択一的に前記制御軸に連動して回動するように制御軸に連結された制御レバーと、これらの制御レバーがそれぞれ一端部において支持される回転軸と、これらの回転軸に一端側がそれぞれ固着され、回転軸と共に択一的に回動して前記各可動接触子を起立、転倒させるための旋回アームとを具備することを特徴とする請求項４に記載の電源切替開閉装置。
【請求項６】
前記制御レバーが、それぞれ長孔を備えた他端部を有し、かつこの長孔を交差させるように重なり合い、長孔の交差部に前記制御軸が貫通し、制御軸が何れの前記ガイド溝の傾斜通路を上昇するかによって制御軸に連動して択一的に回動し、制御軸の動きを前記各可動接触子に伝えることを特徴とする請求項５に記載の電源切替開閉装置。
【請求項７】
前記操作レバーと制御軸とが連結リンクにより連結され、操作レバーの旋回動により連結リンクが揺動して制御軸を前記ガイド溝のいずれかの傾斜通路に沿って移動させることを特徴とする請求項１に記載の電源切替開閉装置。
【発明の詳細な説明】
【技術分野】
【０００１】
この発明は、常用電源と非常用電源のような２種の異なる電源を択一的に負荷に接続するための電源切替開閉装置に関する。
【背景技術】
【０００２】
電源切替開閉装置としては、特許文献１に記載されたものが知られている。特許文献１に記載された電源切替開閉装置においては、２つの傾斜通路を有するほぼＶ字状のガイド溝内に支持された制御軸が、電磁力とばね力による操作レバーの揺動に応動して２つの傾斜通路に沿って上下に往復移動する。負荷側につながる一対の可動接触子は、制御軸の往復移動に連動して開閉動作し、それぞれ異なる電源につながる固定接触子を択一的に負荷側につなげる。制御軸がガイド溝の何れかの傾斜通路の上端位置にあるとき、何れかの可動接触子が何れかの電源を負荷側に接続する投入状態にある。制御軸が傾斜通路の下端位置にあるとき、両可動接触子は何れの電源にも接続されない中立状態にある。制御軸は常時中立位置に戻るようにばねで付勢され、投入位置においてラッチにより保持される。ラッチが電磁的手段で外されると制御軸は中立位置に復帰する。中立位置にある制御軸がガイド溝の何れの傾斜通路を上昇するか、すなわち何れの電源を負荷側に接続するかは、ガイド溝の２つの傾斜通路を択一的に閉鎖するポイント板の向きが決定する。ポイント板の切り替えは、電磁的手段によって電源の切り替え操作と同時に行われる。
また、他の電源切替開閉装置として、特許文献２に記載されたものが知られている。特許文献２に記載された電源切替開閉装置においては、２つの傾斜通路を有するほぼＶ字状のガイド溝内に支持された制御軸が、電磁力とばね力による操作レバーの揺動に応動して２つの傾斜通路に沿ってＶ字状に往復移動する。単一の可動接触子が、制御軸のＶ字状の往復移動に連動して開閉動作し、２種の異なる電源につながる固定接触子を交互に択一的に負荷側につなげる。制御軸がガイド溝の何れかの傾斜通路の上端位置にあるとき、可動接触子が何れかの電源を負荷側に接続する投入状態にある。制御軸が傾斜通路の下端位置にあるとき、可動接触子は何れの電源にも接続されない中立状態にある。制御軸は常時投入位置に戻るようにばねで付勢される。制御軸は、電源切替操作による操作レバーの揺動に応動して一方の傾斜通路に沿って下降し、中立位置に達した後、ばね力で上昇に転じ、他方の傾斜通路を上昇する。何れの電源を負荷側に接続するかは、ガイド溝の２つの傾斜通路を交互に択一的に閉鎖するポイント板の傾斜方向が決定する。ポイント板は切替板と共に揺動して傾斜方向を変更する。切替板は、ばねによって何れかの傾斜方向に傾斜した位置に付勢される。切替板の揺動途上で付勢ばねは死点を超え、その後は切替板を前とは反対の傾斜方向に傾斜した位置に付勢する。切替板は、傾斜通路を上昇する制御軸に押されて揺動する。したがって、当該の投入操作の前に、制御軸が何れの傾斜通路を上昇したかによって切替板とポイント板の傾斜方向が決定される。
【特許文献１】特公平１−３２６０４号公報
【特許文献２】実公平３−１８７９号公報
【発明の開示】
【発明が解決しようとする課題】
【０００３】
特許文献１に記載された電源切替開閉装置は、ポイント板の傾斜方向をその都度任意に決定できるための付加的機構が必要であり、機構が複雑である。また、特許文献２に記載された電源切替開閉装置では、切替板の傾斜方向を死点を超える前後のばねの付勢方向の変更によって切り替えている。しかし、容量が大きくなって、各部品が大型化すると、慣性力により動作が緩慢になり、切替板の動作が制御軸の速い動作に追随できず、誤動作の原因となる。
したがって、この発明は、比較的構造が簡単で、大電力用の大型機器に適用しても誤動作のない電源切替開閉装置を提供することを目的としている。
【課題を解決するための手段】
【０００４】
この発明の電源切替開閉装置においては、操作レバーが投入位置から中立位置、中立位置から投入位置へと往復回動することにより、負荷に接続する電源が切り替わる。操作レバーの投入位置から中立位置への移動は、制御回路内の電磁的手段により、また操作レバーの中立位置から投入位置への移動は、復帰ばねによりもたらされる。
操作レバーが投入位置にあるとき、制御軸がＶ字状のガイド溝の２つの傾斜通路のいずれかの上端に配置され、中立位置あるとき、傾斜通路の下端に配置される。制御軸がＶ字状のガイド溝の２つの傾斜通路の一方の上端にあるとき、第１の電源が可動接触子を介して負荷側に接続され、他方の上端にあるとき、第２の電源が可動接触子を介して負荷側に接続される。中立位置にある制御軸が、操作レバーの投入位置への復帰に応動して、ガイド溝のいずれの傾斜通路を上昇するかは、ポイント板の傾斜方向によって決定される。ポイント板は、ガイド溝の内側に配置される先端を持ち、２つの揺動終端間を交互に往復する。一方の揺動終端においてポイント板の先端が、ガイド溝の一方の傾斜通路を閉鎖し、他方の揺動終端においてガイド溝の他方の傾斜通路を閉鎖する。したがって、制御軸は、閉鎖されていない傾斜通路を上昇することになる。
ポイント板の傾斜方向は、これに係合するカム板により制御される。カム板は、２つの押圧面と１つのカム面を有し、ガイド溝の一方の傾斜通路を上昇する制御軸により一方の押圧面が押し上げられて一方向へ所定角度回動することで、ポイント板を一方向へ傾斜させ、他方の記斜通路を上昇する制御軸により他方の押圧面が押し上げられて反対方向へ所定角度回動することで、ポイント板を他方向へ傾斜させる。カム板は、回動の途上でまた、ポイント板を一方向または他方向へ傾斜させた状態でこれを弾性的に保持する。
カム板のカム面は、常時一方向に回転付勢された切替レバーの一端側の摺動部に常時摺接しており、したがって、カム板は、切替レバーによって回転付勢される。カム板の回動途上において切替レバーの摺動部がカム面の頂部を越えると、切替レバーのカム板に対する付勢方向が反転し、逆転を弾性的に抑制することになる。カム板は、この弾性的抑制力により、ポイント板を一方向または他方向へ傾斜させた状態でこれを弾性的に保持する。
【発明の効果】
【０００５】
この発明においては、切替レバー、カム板、ポイント板の組み合わせにより、比較的構造が簡易で、大電力用の大型機器に適用しても誤動作のない電源切替開閉装置を提供することができる。
【発明を実施するための最良の形態】
【０００６】
図面を参照してこの発明の実施の形態を説明する。図１ないし図６はこの発明に係る電源切替開閉装置の動作説明図、図７はこの発明に係る電源切替開閉装置の機構部の正面図、図８はこの発明に係る電源切替開閉装置の平面図、図９は図８におけるIX−IX断面図、図１０ないし図１３は、図９におけるX−X矢視による機構部の動作説明図である。
【０００７】
この発明に係る電源切替開閉装置は、図６ないし９に示すように、ベース４１上に起立する隔壁４，５によって相互に隔てられた操作機構部１，伝動機構部２，充電部３を有する。充電部３は三相からなるが、一相のみを示した。
【０００８】
図７に示すように、軸６が、ベース４１上に起立した支持壁７，８間に回転自在に支持される。軸６は、図８に示すように、隔壁４の開口４ａを通って伝動機構部２まで伸びている。図７に示すように、操作機構部１において、直交する２つのアーム９ａ，９ｂ，１０ａ，１０ｂをそれぞれ有する平行一対の操作レバー９，１０の中間部が軸６に固着される。一方の操作レバー１０のアーム１０ａは、他方の操作レバー９の対向するアーム９ａより長く伸びている。アーム９ａの先端部とアーム１０ａの中間部との間に軸１１が架設され、アーム９ｂの先端部とアーム１０ｂ先端部との間に軸１２が架設されている。軸１１上にはローラ１１ａが設けられる。軸１２は、ベース４１に固定されたソレノイド１３のロッド１３ａの先端部に連結される。ロッド１３ａは、内装ばねにより、常時突出方向に付勢され、コイルが付勢されるとばね力に抗して吸引される。
【０００９】
軸１４が、ガイド溝１８の中央上方に位置して、隔壁４と支持壁７との間に架設されている。操作レバー９，１０を回転付勢するための平行一対のレバー１５の一端が、軸１４に枢支される。レバー１５の他端には、ローラ１５ａを保持した軸１５ｂが架設され、またばね１６の一端が連結される。ばね１６の他端は、フレーム１７に係止される。レバー１５のローラ１５ａは、操作レバー９上のローラ１１ａに常時接している。レバー１５は、操作レバー９，１０の軸１１を保持する凹部１１ｃを有する。したがって、図６において、ソレノイド１３が付勢されると、ロッド１３ａが右行し、操作レバー９，１０が軸６を中心に時計方向へ回転し、レバー１５が軸１４を中心にばね１６を伸ばしながら反時計方向へ回転する。ソレノイド１３が消勢されると、レバー９，１０，１５は、ばね１６の力で瞬時に図６の状態に復帰する。
【００１０】
図１０によく示すように、隔壁４は、ほぼＶ字状にくり抜かれたガイド溝１８を有する。ガイド溝１８は、２つの反対方向に傾斜した通路１８ａ，１８ｂを有する。制御軸１９が、通路１８ａ，１８ｂに沿って上下方向に移動自在にガイド溝１８を貫通している。平行一対の連結リンク２０の一端は、制御軸１９に枢支され、他端は、操作レバー１０のアーム１０ａの先端部に軸２１で枢支される。レバー２２は、伝動機構部２側に位置して、操作レバー９，１０と一体に回動するように軸６に一端が固着される。レバー１０，２２の先端部間に軸２１が架設される。したがって、制御軸１９は、操作レバー９，１０の往復回動に従って、ガイド溝１８の何れかの傾斜通路１８ａ，１８ｂに沿って上下方向に往復移動する。
【００１１】
図１０によく示すように、ほぼ中央において軸１４に枢支されるほぼハート形のポイント板２３は、枢支部の両側に２つの翼部２３ａ、２３ｂを備える。ポイント板２３は、ピン２３ｃが隔壁の孔４ｂ内で移動できる範囲で所定角度回動自在であり、翼部２３ｂ上の係合ピン２３ｄを介してカム板２４に係合し、カム板２４によって揺動される。翼部２３ａの先端部は、ガイド溝１８内に突出しており、揺動の両端位置において、何れかの傾斜通路１８ａ，１８ｂを塞いで制御軸１９の上昇を阻止することができる。
【００１２】
軸１４に枢支されるカム板２４は、枢支部の両側に翼状にそれぞれ伸びる。カム板２４は、一方の翼部内に開口２４ｃ、外周に押圧面２４ａ，２４ｂ、カム面２４ｄ，２４ｅ及び頂部２４ｆを有する。押圧面２４ａ，２４ｂは、カム板２４の下縁の、軸１４に対して対称位置に設けられる。ガイド溝１８の傾斜通路１８ａ，１８ｂ内を上昇する制御軸１９が、押圧面２４ａ，２４ｂを押すことによりカム板２４を正逆回動させることができる。ほぼ菱形の開口２４ｃは、ポイント板２３の連結ピン２３ｄを受け入れ、内周の対向部で、連結ピン２３ｄをそれぞれ反対方向へ押圧できる。カム板２４のほぼＶ字状の外周部における頂部４ｆの両側にカム面２４ｄ，２４ｅが形成される。カム板２４は、揺動の両端において、開口２４ｃの内周の対向部で、連結ピン２３ｄを反対方向へ押圧してポイント板２３を異なる傾斜位置に保持する。
【００１３】
切替レバー２５がピン２６で隔壁４に枢支される。切替レバー２５は、カム板２４のカム面２４ｄ，２４ｅに常時摺接するローラ２５ａを一端に有し、他端にはばね２７の一端が係止される。ばね２７は、他端において隔壁４に係止され、常時切替レバー２５を図６，１０において時計方向へ回転付勢する。したがって、切替レバー２５は、ローラ２５ａが、カム板２４のカム面２４ｄ，２４ｅの頂部２４ｆを超えた両側において、カム板２４を反対回転方向へ付勢する。
【００１４】
図７，図８によく示すように、伝動機構部２において、隔壁４に、一対の角軸２８，２９の一端が回転自在に支持される。角軸２８，２９は、充電部３を貫通して、図示しない端壁に支持される。一対の制御レバー３０，３１は、基端側において軸２８，２９にそれぞれ固着される。軸２８，２９は、充電部３内において、それぞれ可動接触子３６，３７に連結され、その正逆回動によって可動接触子３６，３７を投入又は遮断位置に移動させる。制御レバー３０，３１は、長孔３０ａ，３１ａを備え、かつこの長孔３０ａ，３１ａを交差させるように重なり合う。長孔３０ａ，３１ａの交差部には、制御軸１９が貫通する。したがって、制御レバー３０，３１は、制御軸１９がガイド溝１８の何れの傾斜通路１８ａ，１８ｂを上昇するかによって、制御軸１９に連動して択一的に回動し、それぞれ軸２８又は２９を回転させ、一方の可動接触子３６，３７を投入位置に、他方の可動接触子３７，３６を遮断位置に配置する。リミットスイッチＸａは、Ｂ電源投入スイッチＳｂとソレノイド１３との間に介在し、Ｂ電源が投入状態のとき、制御レバー３０に押されて回路を開いており、Ｂ電源投入スイッチＳｂの連続投入操作を無効とする。リミットスイッチＸｂは、Ａ電源投入スイッチＳａとソレノイドコイル１３との間に介在し、Ａ電源が投入状態のとき、制御レバー３１に押されて回路を開いており、Ａ電源投入スイッチＳａの連続投入操作を無効とする。
【００１５】
図７，図９によく示すように、充電部３において、軸２８，２９には、それぞれ投入アーム３２，３３が固着される。投入アーム３２，３３は、それぞれリンク３４，３５を介して可動接触子３６，３７に連結される。可動接触子３６は、負荷側固定接触子３８とＡ電源側固定接触子３９との間に位置し、可動接触子３７は、負荷側固定接触子３８とＢ電源側固定接触子４０との間に位置して、それぞれベース４１上のブラケット４２に起立転倒自在に支持される。可動接触子３６は、常時負荷側固定接触子３８に電気的に接続され、転倒状態においてＡ電源を負荷側に接続し、起立状態においてＡ電源を遮断する。可動接触子３７は、投入スイッチと常時負荷側固定接触子３８に電気的に接続され、図９に示す転倒状態においてＢ電源を負荷側に接続し、起立状態においてＢ電源を遮断する。
【００１６】
図１において、今、可動接触子３７が転倒してＢ電源が負荷に接続されている。このとき、制御軸１９は、ガイド溝１８の傾斜通路１８ｂの上端に配置され、カム板２４の押圧部２４ｃが制御軸１９に当接している。カム板２４は、レバー２５により反時計方向へ回転付勢され、ピン２３ｄを介してポイント板２３を一方の揺動端に置き、その翼部２３ｂをガイド溝１８の傾斜通路１８ｂに突出させている。
【００１７】
この状態から、Ａ電源投入スイッチＳａがＯＮすると、図２，図３に示す経過を経て図４に示すＡ電源投入状態に至る。すなわち、図２に示すように、ソレノイド１３が付勢され、レバー１０が反時計方向へ回転を始め、制御軸１９がガイド溝１８の傾斜通路１８ｂを下降する。制御軸１９の下降途上で、傾斜通路１８ｂを塞いでいるポイント板２３ｂに接するが、ばね２７に抗して、ポイント板２３ｂ、カム板２４，切替レバー２５を順次押し回し、進路を開いて、図３に示す傾斜通路１８ｂの最下端の中立位置に至る。
【００１８】
この間に、ポイント板２３ｂは、ばね２７の力で傾斜通路１８ｂを塞ぐ位置に復帰する。この状態では両可動接触子３６，３７が何れの電源側固定接触子３９，４０にも接触しない。この状態から、Ａ電源投入スイッチＳａがＯＦＦに復帰すると、ばね１６によりレバー１０が反時計回りに戻され、制御軸１９がリンク２０により押し上げられる。ガイド溝１８の傾斜通路１８ｂが、ポイント板２３ｂで塞がれているので、制御軸１９は傾斜通路１８ａに沿って上昇し、図４の状態を経て、図５の状態に至る。
【００１９】
図５の状態では、可動接触子３７が起立し、可動接触子３６が転倒して、Ｂ電源が遮断され、Ａ電源が負荷側３８に接続される。図４に示すように、制御軸１９がガイド溝の傾斜通路１８ａに沿って上昇する途上で、制御軸１９がカム板２４の押圧面２４ｂに当接してこれを時計方向へ回転させる。この間、カム面２４ｄに押されてレバー２５が反時計方向へ回転し、ローラ２５ａがカム板２４の頂部２４ｆに達する。ローラ２５ａがカム板２４の頂部２４ｆを過ぎると、それまでカム板２４を反時計方向へ回転付勢していたレバー２５が、カム板２４を時計方向へ回転付勢するようになる。この結果、図５に示すように、カム板２４は、その開口２４ｃの内周の下縁でピン２３ｄを押し上げ、ポイント板２３を時計方向へ回転させ、翼部２３ｂの先端部をガイド溝１８の傾斜通路１８ａへ突出させる。Ａ電源からＢ電源への切り替え動作は、上記と反対に進行する。
【産業上の利用可能性】
【００２０】
この発明は、常用電源と非常用電源のような２種の異なる電源を択一的に負荷に接続するための電源切替開閉器に適用できる。
【図面の簡単な説明】
【００２１】
【図１】この発明に係る電源切替開閉装置の動作説明図である。
【図２】この発明に係る電源切替開閉装置の動作説明図である。
【図３】この発明に係る電源切替開閉装置の動作説明図である。
【図４】この発明に係る電源切替開閉装置の動作説明図である。
【図５】この発明に係る電源切替開閉装置の動作説明図である。
【図６】この発明に係る電源切替開閉装置の動作説明図である。
【図７】この発明に係る電源切替開閉装置の機構部の正面図である。
【図８】この発明に係る電源切替開閉装置の平面図である。
【図９】図８におけるIX−IX断面図である。
【図１０】図９におけるX−X矢視による機構部の動作説明図である。
【図１１】図９におけるX−X矢視による機構部の動作説明図である。
【図１２】図９におけるX−X矢視による機構部の動作説明図である。
【図１３】図９におけるX−X矢視による機構部の動作説明図である。
【符号の説明】
【００２２】
１    操作機構部
２    伝動機構部
３    充電部
４    隔壁
４ａ  開口
５    隔壁
６    軸
７    支持壁
８    支持壁
９    操作レバー
９ａ  アーム
９ｂ  アーム
１０  操作レバー
１０ａ  アーム
１０ｂ  アーム
１１  軸
１１ａ  ローラ
１２  軸
１３  ソレノイド
１３ａ  ロッド
１４  軸
１５  レバー
１５ａ  ローラ
１５ｂ  軸
１６  ばね
１７  フレーム
１８  ガイド溝
１８ａ  傾斜通路
１８ｂ  傾斜通路
１９  制御軸
２０  連結リンク
２１  軸
２２  レバー
２３  ポイント板
２３ａ  翼部
２３ｂ  翼部
２３ｃ  ピン
２３ｄ  ピン
２４  カム板
２４ａ  押圧面
２４ｂ  押圧面
２４ｃ  開口
２４ｄ  カム面
２４ｅ  カム面
２４ｆ  頂部
２５  切替レバー
２６  ピン
２７  ばね
２８  軸
２９  軸
３０  制御レバー
３０ａ  長孔
３１  制御レバー
３１ａ  長孔
３２投入アーム
３３  投入アーム
３４  リンク
３５  リンク
３６  可動接触子
３７  可動接触子
３８  負荷側固定接触子
３９  Ａ電源側固定接触子
４０  Ｂ電源側固定接触子
４１  ベース
４２  ブラケット
【図１】
2006040763.tif 000003
【図２】
2006040763.tif 000004
【図３】
2006040763.tif 000005
【図４】
2006040763.tif 000006
【図５】
2006040763.tif 000007
【図６】
2006040763.tif 000008
【図７】
2006040763.tif 000009
【図８】
2006040763.tif 000010
【図９】
2006040763.tif 000011
【図１０】
2006040763.tif 000012
【図１１】
2006040763.tif 000013
【図１２】
2006040763.tif 000014
【図１３】
2006040763.tif 000015